(57)【特許請求の範囲】
【請求項１】
電線を保持するための電線保持部を上端に備えた支柱と、該支柱を起立姿勢と倒伏姿勢との間で変位可能に支持する支持部と、該支持部をワイヤハーネスの組立作業板上に取付固定するための取付部とからなる電線保持具において、
上記支持部には上記支柱の基部を回動可能に支持する支軸を備える一方、上記支柱には上記支軸に嵌合すると共に支柱の軸方向へ延びる長孔を形成して起立姿勢の支柱を軸方向に上下移動可能とし、更に支持部には上記支柱を起立姿勢で、かつ上方への移動端へ押圧する押圧手段を設けると共に、上記支持部と支柱との間には支柱が上方への移動端にあるとき支柱の倒伏姿勢への変位を規制し、支柱が上記押圧手段に抗して下方へ押圧されて移動したとき上記支柱の変位規制を解除して倒伏姿勢へ変位可能とするロック手段を設けていることを特徴とする電線保持具。
【請求項２】
上記支持部は回動可能な支柱の両側をガイドする一対の支持片を備え、上記ロック手段は支柱が倒伏姿勢から起立姿勢へ回動変位したとき反対側への支柱の回動を規制するために上記一対の支持片間に設けたストッパーピンと、上記支柱が起立姿勢で下方へ移動した状態にあるとき上記ストッパーピンを受け入れ可能に上記支柱に形成された導入溝と、該導入溝に連通して支柱の上方への移動を許容すると共に支柱が上方へ移動した状態ではストッパーピンに係合して支柱の倒伏姿勢への変位を規制可能な係止溝とからなる請求項１に記載の電線保持具。
【請求項３】
上記押圧手段は、上記支持部に支持された支柱の底面部を上方へ向けて押圧すべくスプリングにより弾圧されたボールからなる請求項１または請求項２のいずれか１項に記載の電線保持具。
【請求項４】
上記支柱の底面部において上記ボールと接する面に円弧面を形成すると共に、導入溝が形成された支柱の側面部には導入溝へストッパーピンを案内するためのテーパー状のガイド面を形成している請求項３に記載の電線保持具。
【発明の詳細な説明】
【技術分野】
【０００１】
本発明は、電線保持具に関し、詳しくは、電線保持具を倒伏姿勢に変位させる機能を保持しつつ、起立姿勢時には電線の張力等の外力に影響されず安定的に起立姿勢を維持できるようにするものである。
【背景技術】
【０００２】
従来、図６（Ａ）に示すように、ワイヤハーネスの組立作業に用いる電線保持具１として、特開２００１−１７６３４１号公報（特許文献１）に記載のものが提供されており、この電線保持具１は、組立作業板２に固定される支持部３に対し電線保持部４を備えた支柱５を起立姿勢から倒伏姿勢へ変位可能としている。このように、支柱５を倒伏姿勢に変位することによって、複数の電線保持具１間に布線された電線束にテープを巻き付け操作する際、経路途中の電線保持具１が邪魔にならないようにしている。また、オプション用の電線の布線経路に立設された電線保持具１を用いない作業においては、同様にその個所に立設された電線保持具１を倒伏姿勢とすることで、使用しない布線経路を区別することができる。
【０００３】
この従来の電線保持具１では、図６（Ｂ）に示すように、支持部３に対し支軸３ａを介して回動可能に支持された支柱５は、この支柱５の底面に形成された凹部５ａに対し、支持部３に備えられると共にスプリング６ａによって支柱５の底面方向に付勢されたボール６ｂが嵌合することによって支柱５の起立状態が維持されるようになっている。そして、支柱５を倒伏姿勢に変位させるには、電線保持部４を支柱５と共に倒伏方向へ傾倒させることによってボール６ｂと凹部５ａとの嵌合状態を解除することで、容易に倒伏姿勢へ変位させることができる。
【０００４】
【特許文献１】特開２００１−１７６３４１号公報
【特許文献２】特開平６−３３３４４１号公報
【発明の開示】
【発明が解決しようとする課題】
【０００５】
上記のように、電線保持部１の支柱５は、ボール６ｂと凹部５ａとの嵌合作用によって起立姿勢を維持する構成としているので、支柱５の倒伏操作時は、支柱５を傾倒させるのみの簡易な操作により行うことができる。しかしながら、電線保持具１が電線の布線経路の屈曲ポイントに位置するような場合には、電線保持部４に係止された電線の張力等の外力が作用することによって、ボール６ｂと凹部５ａとの嵌合状態が解除される方向に支柱５が不意に傾く場合がある。この場合、電線保持部４の位置が正規の位置からずれることとなるため、布線経路の屈曲ポイントがずれたり、布線経路の寸法精度が低下することになり、自動車の配索経路に対応する高い寸法精度が要求されるワイヤハーネスにおいて品質低下をきたすおそれがある。このため、支柱５の起立姿勢を安定的に維持させるために、起立姿勢でロックできる機構を別途設けもの（特許文献２）もあるが、支柱５の倒伏操作は、ワイヤハーネスの組立工程中において頻繁に発生する作業であるため、ロック解除に手間を要すると、ワイヤハーネスの組立作業の効率を低下させるという新たな問題が生じることとなる。
【０００６】
本発明は上記した問題に鑑みてなされたもので、電線保持部が起立姿勢にあるときは、傾倒方向に作用する外力に抗することができる機能を備えると共に、倒伏姿勢へ変位させるときは作業性を低下させることのない簡易な操作により、姿勢変換を可能とする電線保持具を提供することを課題としている。
【課題を解決するための手段】
【０００７】
上記課題を解決するため、本発明では、電線を保持するための電線保持部を上端に備えた支柱と、該支柱を起立姿勢と倒伏姿勢との間で変位可能に支持する支持部と、該支持部をワイヤハーネスの組立作業板上に取付固定するための取付部とからなる電線保持具において、
上記支持部には上記支柱の基部を回動可能に支持する支軸を備える一方、上記支柱には上記支軸に嵌合すると共に支柱の軸方向へ延びる長孔を形成して起立姿勢の支柱を軸方向に上下移動可能とし、更に支持部には上記支柱を起立姿勢で、かつ上方への移動端へ押圧する押圧手段を設けると共に、上記支持部と支柱との間には支柱が上方への移動端にあるとき支柱の倒伏姿勢への変位を規制し、支柱が上記押圧手段に抗して下方へ押圧されて移動したとき上記支柱の変位規制を解除して倒伏姿勢へ変位可能とするロック手段を設けていることを特徴とする電線保持具を提供している。
【０００８】
上記構成によれば、電線保持部を備える支柱が起立姿勢にあるときは、ロック手段により傾倒姿勢への変位が規制されているので、外力の影響で不意に支柱が傾倒することがない。一方、支柱を傾倒させる場合は、電線保持部を下方へ押圧することにより支柱が下方へ移動すると、ロック手段による支柱の変位規制が解除されるので、電線保持部を押圧すると同時に支柱を傾倒させる方向に操作することで支柱を倒伏姿勢に容易に変位させることができる。
【０００９】
より具体的には、上記支持部は回動可能な支柱の両側をガイドする一対の支持片を備え、上記ロック手段は支柱が倒伏姿勢から起立姿勢へ回動変位したとき反対側への支柱の回動を規制するために上記一対の支持片間に設けたストッパーピンと、上記支柱が起立姿勢で下方へ移動した状態にあるとき上記ストッパーピンを受け入れ可能に上記支柱に形成された導入溝と、該導入溝に連通して支柱の上方への移動を許容すると共に支柱が上方へ移動した状態ではストッパーピンに係合して支柱の倒伏姿勢への変位を規制可能な係止溝とから構成している。
【００１０】
このようにすれば、支柱の反対側への傾倒を規制するストッパーピンを、導入溝および係止溝に係止させることで、支柱の起立姿勢を保持するロック手段の構成部材として兼用することができるので、複雑な機構を要することなく支柱の起立姿勢の維持機能と、倒伏姿勢への傾倒操作時の解除機能を具備させることができる。
【００１１】
更に具体的には、上記押圧手段は、上記支持部に支持された支柱の底面部を上方へ向けて押圧すべくスプリングにより弾圧されたボールから構成している。
このような構成によれば、支柱に対するポールプランジャの押圧作用によって、ストッパーピンと係止溝との係止状態を安定的に維持させることができる。また、支柱の起立姿勢のロック状態が解除された後、および支柱を倒伏姿勢から起立姿勢へ移動操作する際には、支柱の底面部に対するボールの転がり作用によって、軽い操作力で支柱の姿勢変換操作を行うことができる。
【００１２】
更に、上記支柱の底面部において上記ボールと接する面に円弧面を形成すると共に、導入溝が形成された支柱の側面部には導入溝へストッパーピンを案内するためのテーパー状のガイド面を形成している。
このように構成すれば、支柱の姿勢変換操作力をより一層軽減できると共に、支柱を倒伏姿勢から起立姿勢へ変換操作する際には、ストッパーピンに接するガイド面の案内により支柱をボールを押圧する方向に移動させることができるため、支柱を起立させると同時にストッパーピンと係止溝によるロック手段を作用させることができる。
【発明の効果】
【００１３】
以上の説明より明らかなように、本発明の電線保持具によれば、布線される電線を保持する電線保持部を支柱と共に起立姿勢から倒伏姿勢へ変位可能な機能を備えつつ、起立姿勢では外力によって不意に倒伏姿勢へ変位するのをロック手段により確実に阻止できる。よって、不意な傾倒による電線保持具間の寸法精度が低下するのを防止できる。一方、倒伏姿勢への操作時には電線保持部を下方へ押圧しながら支柱を傾倒させるのみの簡易な操作によって倒伏姿勢へ変位させることができる。よって、電線保持具を起立姿勢から倒伏姿勢へ変位させるに際し、作業性が低下することがない。
【発明を実施するための最良の形態】
【００１４】
以下、本発明の実施形態を図面を参照して説明する。
図１〜図５はワイヤハーネスの組立時に組立作業板Ａに立設して使用する電線保持具１０の実施形態を示し、この電線保持具１０は電線を受け入れて保持する電線保持部１１を上端に備えた支柱１２と、この支柱１２を支持する支持部１３と、支持部１３を組立作業板Ａの所定位置に取付固定するための取付部１４とから構成している。
電線保持部１１は電線を受け入れて挟持可能な音叉形状をなし、下部に突設した雄ネジ部１１ａを支柱１２の上部に形成した雌ネジ部１２ａにねじ込むことで支柱１２の上端に取り替え可能に固定している。
【００１５】
支柱１２は金属製の丸棒からなり、図２（Ａ）（Ｂ）に示すように、下部両側には対向する平坦部１２ｂを形成すると共に、この平坦部１２ｂ間を貫通するようにして軸方向に延びる長孔１２ｃを形成している。この長孔１２ｃは支柱１２を取付部１４に対し起立姿勢と倒伏姿勢に回転変位させる回転中心となると共に、支柱１２を起立姿勢で軸方向に上下動可能に案内する機能を備えている。また、長孔１２ｃの上方には後述のストッパーピン１５ａとの間で支柱１２のロック手段１５を構成する導入溝１５ｂと係止溝１５ｃを形成している。導入溝１５ｂは支柱１２の外周から略中心位置に向かって切り欠き形成されると共に、係止溝１５ｃは導入溝１５ｂの端部に連通するようにして長孔１２ｃの方向へ延びるようにして形成することで、導入溝１５ｂの入り口付近に係止爪１５ｄを形成している。
また、支柱１２の下面部は長孔１２ｃを中心とする円弧面１２ｄを形成し、導入溝１５ｂが形成された支柱１２の側面部、即ち係止爪１５ｄの外面には導入溝１５ｂへストッパーピン１５ａを案内するためのテーパー状のガイド面１５ｅを形成している。
【００１６】
支持部１３は、図３（Ａ）〜（Ｃ）に示すように、支柱１２の両側の平坦部１２ｂを挟み込んでガイドする一対の支持片１３ａと、ボルト部材から構成される取付部１４を下方へ向けて突設するベース部１３ｂとから構成している。一対の支持部１３ａ間には、支柱１２を挟み込んだ状態で長孔１２ｃを貫通する支軸１３ｃを取り付け、この支軸１３ｃを回動中心として支柱１２を起立姿勢と倒伏姿勢との間で変位可能に支持するようにしている。また、支柱１２の回動中心は軸方向に延びる長孔１２ｃから構成されているため、支柱１２は起立姿勢において支軸１３ｃに支持された状態で所定寸法上下方向へ移動可能となっている。
【００１７】
更に、一対の支持片１３ａにおける支軸１３ｃの上方位置には、支柱１２における導入溝１５ｂと反対側の外面に当接することで支柱１２の倒伏方向を所定の一方向に規制するためのストッパーピン１５ａを取り付けている。このストッパーピン１５ａは、支柱１２の下方への移動端、即ち支軸１３ｃが長孔１２ｃの内面上部に当接する状態において、支柱１２の導入溝１５ｂに対応する高さ位置で、かつ導入溝１５ｂに進入可能な軸径に設定されている。一方、支柱１２が起立姿勢で上方への移動端、即ち支軸１３ｃが長孔１２ｃの内面下部に当接する状態に位置するときは、ストッパーピン１５ａが係止溝１５ｃ内に相対的に移動して係止溝１５ｃの内面、即ち係止爪１５ｄに当接することで、支柱１２の倒伏方向への傾倒を規制可能としている。このようにストッパーピン１５ａは支柱１２の他方向への傾倒を規制する機能と、起立姿勢の支柱１２の傾倒を一時的に規制するロック手段１５としての機能を備えている。
【００１８】
支持部１３のベース部１３ｂには、起立姿勢の支柱１２を上方へ移動させることでロック手段１５により支柱１２の傾倒が規制される状態を維持可能とするために支柱１２を上方へ押圧する押圧手段１６を設けている。この押圧手段１６は、支柱１２の底面部に対向するベース部１３ｂの中央に形成した凹部１６ａ内に圧入されたスプリング１６ｂと、このスプリング１６ｂにより上方へ向けて弾圧されたボール１６ｃとから構成している。
【００１９】
次に，電線保持具１０の作用について説明する。
電線保持具１０は組立作業板Ａにおける電線の布線経路に沿った所定位置に形成された取付孔Ｂに対し、取付部１４を挿通すると共にナットＮによって締め付け固定することで、所定方向に向けて取付固定される。そして、通常の電線の布線作業中においては、支柱１２は起立姿勢とされ、布線された電線への外装品やテープ巻き操作時において電線保持部１１が作業の邪魔になる場合には、倒伏姿勢に変位される。
【００２０】
支柱１２の起立姿勢では、図４（Ａ）に示すように、支柱１２の底面部がボール１６ｃの上方への弾圧力を受け、これに伴い支柱１２は支軸１３ｃに対し長孔１２ｃの内面下部が当接する位置まで上方へ移動した位置へ押しやられる。この状態では、ストッパーピン１５ａが係止溝１５ｃ内に進入した状態となるため、支柱１２に倒伏方向への外力が作用しても支柱１２は係止溝１５ｃの内面、即ち係止爪１５ｄにより倒伏方向への傾倒が規制された状態となっている。よって、支柱１２に対し電線の張力や、他の外力が作用しても支柱１２は傾倒することなく安定した起立状態を維持することができるため、電線保持部１１の位置がずれることがなく、電線の布線における寸法精度の向上を図ることができる。
【００２１】
一方、支柱１２を倒伏姿勢に変位させるには、図４（Ｂ）に示すように、電線保持部１１を上方から下方へ向けて押圧することにより、支柱１２はボール１６ｃによる上方への付勢力に抗して支軸１３ｃが長孔１２ｃの内面上部に当接するまで下方へ移動する。この状態に至ると、ロック手段１５におけるストッパーピン１５ａは係止溝１５ｃから抜け出て導入溝１５ｂの形成位置まで相対的に移動するため、ロックが解除される。続いて、図４（Ｃ）に示すように、支柱１２の倒伏方向への押圧操作により、支柱１２は容易に倒伏姿勢へ変位される。このように、支柱１２の倒伏操作は電線保持部１１に対する下方への押圧操作と、所定の側方への倒伏操作という連続操作可能な作業によって行われるので、従来の電線保持具と同様に支柱１２の倒伏操作をワンタッチで容易に操作することができる。
【００２２】
倒伏姿勢にある電線保持具１０を起立姿勢にしてロックするには、倒伏した電線保持部１１を持ち上げて支柱１２を起立方向に操作するのみで簡単に行うことができる。即ち、支柱１２の下面部に形成した円弧面１２ｄをボール１６ｃが転動することで円滑な起立姿勢への変位がなされ、更に係止爪１５ｄに設けたガイド面１５ｅによってストッパーピン１５ａが導入溝１５ｂ内に相対的に案内されることによって支柱１２の起立姿勢への変位操作を容易に行うことができる。導入溝１５ｂ内でストッパーピン１５ａが内壁面に当接して完全な起立姿勢になると同時にボール１６ｃの押圧力によって支柱１２は上方へ押し上げられ、これによりストッパーピン１５ａは相対的に係止溝１５ｃ内へ進入して支柱１２の倒伏方向への移動が規制され、起立姿勢でロックされる。
【００２３】
なお、実施形態では電線保持具１０として金属製材料からなる例を示したが、樹脂製の構成部材を用いることもできる。また、電線保持部１１として音叉形状の部材を用いた例を示したが、１本の腕のみからなるもの、３本以上の腕部分を備えたもの、その他の形状の電線保持部を適宜選択して用いることもできる。
【００２４】
図５は軟質の樹脂材料からなるカバー２０を装着した例を示し、このカバー２０は支柱１２を倒伏操作するときに、支柱１２と支持部１３との間に電線が引っ掛かって損傷を受けるのを防止するものである。このカバー２０は支持部１３を覆う第１カバー部２０ａと支柱１２の基部を覆う第２カバー部２０ｂがテーパー状の繋ぎ部２０ｃによって一体的に形成され、第１カバー部２０ａにおける支柱１２の倒伏方向と反対側の稜線部には支柱１２の傾倒時のためのスリット２０ｄを形成している。上記構成からなるカバー２０を電線保持具１０に装着することで傾倒操作に伴う噛み込みに起因する電線の損傷を防止するこができる。
【図面の簡単な説明】
【００２５】
【図１】本発明は電線保持具の斜視図である。
【図２】支柱を示し、（Ａ）は正面図、（Ｂ）は側面図である。
【図３】支持部および取付部を示し、（Ａ）は正面図、（Ｂ）は側面図、（Ｃ）は平面図である。
【図４】（Ａ）〜（Ｃ）は支柱のロック解除から倒伏位置への傾倒操作の工程を示す一部切り欠き要部拡大図である。
【図５】支柱および支持部にカバーを装着した状態の斜視図である。
【図６】（Ａ）（Ｂ）は従来例を示す図である。
【符号の説明】
【００２６】
１０  電線保持具
１１  電線保持部
１２  支柱
１２ｃ  長孔
１２ｄ  円弧面
１３  支持部
１３ａ  支持片
１３ｃ  支軸
１４  取付部
１５  ロック手段
１５ａ  ストッパーピン
１５ｂ  導入溝
１５ｃ  係止溝
１５ｅ  ガイド面
１６  押圧手段
１６ｃ  ボール
Ａ  組立作業板
【図１】
0004635781.tif 000002
【図２】
0004635781.tif 000003
【図３】
0004635781.tif 000004
【図４】
0004635781.tif 000005
【図５】
0004635781.tif 000006
【図６】
0004635781.tif 000007